(57)【特許請求の範囲】
【請求項１】
第１無線通信システムと、前記第１無線通信システムと無線通信技術が異なる第２無線通信システムとに接続可能な移動機と、
前記第１無線通信システムと前記第２無線通信システムとの間における前記移動機の遷移を制御するネットワーク装置と
を含む通信システムであって、
前記移動機は、前記移動機の通信を規制するアクセス規制が前記第１無線通信システムにおいて行われていることに伴い、前記第１無線通信システムの代替として前記第２無線通信システムとの接続要求を前記ネットワーク装置に送信する場合、前記第１無線通信システムから遷移したことを示す遷移情報を前記接続要求に含め、
前記ネットワーク装置は、前記移動機から前記遷移情報を取得した場合、前記移動機または前記移動機以外の移動機の前記第１無線通信システムへの遷移を抑止する通信システム。
【請求項２】
第１無線通信システムと、前記第１無線通信システムと無線通信技術が異なる第２無線通信システムとに接続可能な移動機と、
前記第１無線通信システムと前記第２無線通信システムとの間における前記移動機の遷移を制御するネットワーク装置と
を含む通信システムであって、
前記移動機は、前記移動機の通信を規制するアクセス規制が前記第１無線通信システムにおいて行われていることに伴い、前記第１無線通信システムの代替として前記第２無線通信システムとの接続要求を前記ネットワーク装置に送信する場合、前記第１無線通信システムを介して通信を実行する能力を有さないことを示す能力不備情報を前記接続要求に含め、
前記ネットワーク装置は、前記移動機から前記能力不備情報を取得した場合、前記移動機の前記第１無線通信システムへの遷移を抑止する通信システム。
【請求項３】
第１無線通信システムと、前記第１無線通信システムと無線通信技術が異なる第２無線通信システムとに接続可能な移動機と、
前記第１無線通信システムと前記第２無線通信システムとの間における前記移動機の遷移を制御するネットワーク装置と
を含む通信システムであって、
前記移動機は、前記移動機の通信を規制するアクセス規制が前記第１無線通信システムにおいて行われていることに伴い、前記第１無線通信システムの代替として前記第２無線通信システムとの接続要求を前記ネットワーク装置に送信する場合、前記第１無線通信システムにおいて前記アクセス規制が行われていることによる前記第２無線通信システムへの接続要求を示すアクセス規制情報を前記接続要求に含め、
前記ネットワーク装置は、前記移動機から前記アクセス規制情報を取得した場合、前記移動機または前記移動機以外の移動機の前記第１無線通信システムへの遷移を抑止する通信システム。
【請求項４】
第１無線通信システムと、前記第１無線通信システムと無線通信技術が異なる第２無線通信システムとに接続可能な移動機であって、
前記第１無線通信システムの代替として前記第２無線通信システムとの接続要求を前記ネットワーク装置に送信する場合、前記第１無線通信システムから遷移したことを示す遷移情報を前記接続要求に含める移動機。
【請求項５】
前記移動機は、前記移動機の通信を規制するアクセス規制が前記第１無線通信システムにおいて行われていることに伴い、前記第１無線通信システムの代替として前記第２無線通信システムとの接続要求を前記ネットワーク装置に送信する場合、前記遷移情報を前記接続要求に含める請求項４に記載の移動機。
【請求項６】
第１無線通信システムと、前記第１無線通信システムと無線通信技術が異なる第２無線通信システムとに接続可能な移動機であって、
前記第１無線通信システムの代替として前記第２無線通信システムとの接続要求を前記ネットワーク装置に送信する場合、前記第１無線通信システムを介して通信を実行する能力を有さないことを示す能力不備情報を前記接続要求に含める移動機。
【請求項７】
前記移動機は、前記移動機の通信を規制するアクセス規制が前記第１無線通信システムにおいて行われていることに伴い、前記第１無線通信システムの代替として前記第２無線通信システムとの接続要求を前記ネットワーク装置に送信する場合、前記能力不備情報を前記接続要求に含める請求項６に記載の移動機。
【請求項８】
第１無線通信システムと、前記第１無線通信システムと無線通信技術が異なる第２無線通信システムとに接続可能な移動機であって、
前記移動機の通信を規制するアクセス規制が前記第１無線通信システムにおいて行われていることに伴い、前記第１無線通信システムの代替として前記第２無線通信システムとの接続要求を前記ネットワーク装置に送信する場合、前記第１無線通信システムにおいて前記アクセス規制が行われていることによる前記第２無線通信システムへの接続要求を示すアクセス規制情報を前記接続要求に含める移動機。
【請求項９】
第１無線通信システムと、前記第１無線通信システムと無線通信技術が異なる第２無線通信システムとの間における移動機の遷移を制御するネットワーク装置であって、
前記移動機から、前記第１無線通信システムから遷移したことを示す遷移情報を取得した場合、前記移動機または前記移動機以外の移動機の前記第１無線通信システムへの遷移を抑止するネットワーク装置。
【請求項１０】
第１無線通信システムと、前記第１無線通信システムと無線通信技術が異なる第２無線通信システムとの間における移動機の遷移を制御するネットワーク装置であって、
前記移動機から、前記第１無線通信システムを介して通信を実行する能力を有さないことを示す能力不備情報を取得した場合、前記移動機の前記第１無線通信システムへの遷移を抑止するネットワーク装置。
【請求項１１】
第１無線通信システムと、前記第１無線通信システムと無線通信技術が異なる第２無線通信システムとの間における移動機の遷移を制御するネットワーク装置であって、
前記移動機から、前記第１無線通信システムにおいて前記アクセス規制が行われていることによる前記第２無線通信システムへの接続要求を示すアクセス規制情報を取得した場合、前記移動機または前記移動機以外の移動機の前記第１無線通信システムへの遷移を抑止するネットワーク装置。
【発明の詳細な説明】
【技術分野】
【０００１】
本発明は、複数の無線通信システムに接続可能な移動機とネットワーク装置とを含む通信システム、移動機及びネットワーク装置に関する。
【背景技術】
【０００２】
3G（W-CDMA）システム（以下、3G）、及びLTEシステム（以下、LTE）などの複数の無線通信システムに接続可能な移動機に関して、当該無線通信システム間における当該移動機の制御方法（Inter-RAT mobility）が種々規定されている。
【０００３】
例えば、移動機が接続要求を送信したLTEにおいて、当該接続要求を受理できない何らかのアクセス規制が行われている場合、移動機は、3GのCSドメインへのフォールバック（CSFB）を実行し、フォールバックした3Gにおいて発信処理を実行することが規定されている（非特許文献１参照）。
【先行技術文献】
【非特許文献】
【０００４】
【非特許文献１】3GPP TS 24.301, Technical Specification Group Core Network and Terminals;Non-Access-Stratum (NAS) protocol for Evolved Packet System (EPS); Stage 3
【発明の概要】
【発明が解決しようとする課題】
【０００５】
しかしながら、上述した従来の制御方法には、次のような問題があった。すなわち、3G（具体的にはUTRAN）は、移動機がLTEのアクセス規制により3Gに遷移してきたことを認識していないため、移動機が3Gに接続後、当該移動機をLTEに遷移させる制御を実行しようとする可能性がある。
【０００６】
ところが、このような制御が実行されてもLTEではアクセス規制が行われているため、移動機はLTEに遷移できず、無線通信システム全体として無駄な処理が実行されてしまう恐れがある。
【０００７】
そこで、本発明は、一の無線通信システムのアクセス規制により他の無線通信システムに移動機が遷移した場合において、当該移動機が一の無線通信システムに再び遷移することを防止できる通信システム、移動機及びネットワーク装置の提供を目的とする。
【課題を解決するための手段】
【０００８】
本発明の特徴は、第１無線通信システム（LTEシステム10）と、前記第１無線通信システムと無線通信技術が異なる第２無線通信システム（3Gシステム20）とに接続可能な移動機（移動機300）と、前記第１無線通信システムと前記第２無線通信システムとの間における前記移動機の遷移を制御するネットワーク装置（RNC210）とを含む通信システムであって、前記移動機は、前記移動機の通信を規制するアクセス規制が前記第１無線通信システムにおいて行われていることに伴い、前記第１無線通信システムの代替として前記第２無線通信システムとの接続要求を前記ネットワーク装置に送信する場合、前記第１無線通信システムから遷移したことを示す遷移情報を前記接続要求に含め、前記ネットワーク装置は、前記移動機から前記遷移情報を取得した場合、前記移動機または前記移動機以外の移動機の前記第１無線通信システムへの遷移を抑止することを要旨とする。
【０００９】
本発明の特徴は、第１無線通信システムと、前記第１無線通信システムと無線通信技術が異なる第２無線通信システムとに接続可能な移動機と、前記第１無線通信システムと前記第２無線通信システムとの間における前記移動機の遷移を制御するネットワーク装置とを含む通信システムであって、前記移動機は、前記移動機の通信を規制するアクセス規制が前記第１無線通信システムにおいて行われていることに伴い、前記第１無線通信システムの代替として前記第２無線通信システムとの接続要求を前記ネットワーク装置に送信する場合、前記第１無線通信システムを介して通信を実行する能力を有さないことを示す能力不備情報を前記接続要求に含め、前記ネットワーク装置は、前記移動機から前記能力不備情報を取得した場合、前記移動機の前記第１無線通信システムへの遷移を抑止することを要旨とする。
【００１０】
本発明の特徴は、第１無線通信システムと、前記第１無線通信システムと無線通信技術が異なる第２無線通信システムとに接続可能な移動機と、前記第１無線通信システムと前記第２無線通信システムとの間における前記移動機の遷移を制御するネットワーク装置とを含む通信システムであって、前記移動機は、前記移動機の通信を規制するアクセス規制が前記第１無線通信システムにおいて行われていることに伴い、前記第１無線通信システムの代替として前記第２無線通信システムとの接続要求を前記ネットワーク装置に送信する場合、前記第１無線通信システムにおいて前記アクセス規制が行われていることによる前記第２無線通信システムへの接続要求を示すアクセス規制情報を前記接続要求に含め、前記ネットワーク装置は、前記移動機から前記アクセス規制情報を取得した場合、前記移動機または前記移動機以外の移動機の前記第１無線通信システムへの遷移を抑止することを要旨とする。
【００１１】
本発明の特徴は、第１無線通信システムと、前記第１無線通信システムと無線通信技術が異なる第２無線通信システムとに接続可能な移動機であって、前記移動機の通信を規制するアクセス規制が前記第１無線通信システムにおいて行われていることに伴い、前記第１無線通信システムの代替として前記第２無線通信システムとの接続要求を前記ネットワーク装置に送信する場合、前記第１無線通信システムから遷移したことを示す遷移情報を前記接続要求に含めることを要旨とする。
【００１２】
本発明の特徴は、第１無線通信システムと、前記第１無線通信システムと無線通信技術が異なる第２無線通信システムとに接続可能な移動機であって、前記移動機の通信を規制するアクセス規制が前記第１無線通信システムにおいて行われていることに伴い、前記第１無線通信システムの代替として前記第２無線通信システムとの接続要求を前記ネットワーク装置に送信する場合、前記第１無線通信システムを介して通信を実行する能力を有さないことを示す能力不備情報を前記接続要求に含めることを要旨とする。
【００１３】
本発明の特徴は、第１無線通信システムと、前記第１無線通信システムと無線通信技術が異なる第２無線通信システムとに接続可能な移動機であって、前記移動機の通信を規制するアクセス規制が前記第１無線通信システムにおいて行われていることに伴い、前記第１無線通信システムの代替として前記第２無線通信システムとの接続要求を前記ネットワーク装置に送信する場合、前記第１無線通信システムにおいて前記アクセス規制が行われていることによる前記第２無線通信システムへの接続要求を示すアクセス規制情報を前記接続要求に含めることを要旨とする。
【００１４】
本発明の特徴は、第１無線通信システムと、前記第１無線通信システムと無線通信技術が異なる第２無線通信システムとの間における移動機の遷移を制御するネットワーク装置であって、前記移動機から、前記第１無線通信システムから遷移したことを示す遷移情報を取得した場合、前記移動機または前記移動機以外の移動機の前記第１無線通信システムへの遷移を抑止することを要旨とする。
【００１５】
本発明の特徴は、第１無線通信システムと、前記第１無線通信システムと無線通信技術が異なる第２無線通信システムとの間における移動機の遷移を制御するネットワーク装置であって、前記移動機から、前記第１無線通信システムを介して通信を実行する能力を有さないことを示す能力不備情報を取得した場合、前記移動機の前記第１無線通信システムへの遷移を抑止することを要旨とする。
【００１６】
本発明の特徴は、第１無線通信システムと、前記第１無線通信システムと無線通信技術が異なる第２無線通信システムとの間における移動機の遷移を制御するネットワーク装置であって、前記移動機から、前記第１無線通信システムにおいて前記アクセス規制が行われていることによる前記第２無線通信システムへの接続要求を示すアクセス規制情報を取得した場合、前記移動機または前記移動機以外の移動機の前記第１無線通信システムへの遷移を抑止することを要旨とする。
【発明の効果】
【００１７】
本発明の特徴によれば、一の無線通信システムのアクセス規制により他の無線通信システムに移動機が遷移した場合において、当該移動機が一の無線通信システムに再び遷移することを防止できる。
【図面の簡単な説明】
【００１８】
【図１】本発明の実施形態に係る無線通信システムの全体概略構成図である。
【図２】本発明の実施形態に係る移動機300の機能ブロック構成図である。
【図３】本発明の実施形態に係るRNC210の機能ブロック構成図である。
【図４】本発明の実施形態に係る無線通信システムの通信シーケンスを示す図である。
【発明を実施するための形態】
【００１９】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００２０】
したがって、具体的な寸法などは以下の説明を参酌して判断すべきものである。また、図面相互間においても互いの寸法の関係や比率が異なる部分が含まれていることは勿論である。
【００２１】
（１）無線通信システムの全体概略構成
図１は、本実施形態に係る無線通信システムの全体概略構成図である。図１に示すように、本実施形態に係る無線通信システムは、LTEシステム10と、3Gシステム20とによって構成される。
【００２２】
LTEシステム10（第１無線通信システム）は、LTE方式に従った無線通信システムである。3Gシステム20（第２無線通信システム）は、3G方式（W-CDMA）に従った無線通信システムである。すなわち、LTEシステム10と3Gシステム20とでは、使用する無線通信技術（RAT）が異なっている。
【００２３】
LTEシステム10には、LTEコアネットワーク11、eNodeB110及びMME120が含まれる。3Gシステム20には、3Gコアネットワーク21、RNC210、BTS220及びSGSN230（Serving GPRS Support Node）が含まれる。
【００２４】
RNC210は、BTS220及び移動機300を制御する。特に、本実施形態では、RNC210は、LTEシステム10と3Gシステム20との間における移動機300の遷移を制御するネットワーク装置を構成する。また、SGSN230は、パケット交換（PS）ドメイン（不図示）に接続している移動機300の位置を把握し、移動機300宛てのデータを中継する。
【００２５】
移動機300は、LTEシステム10及び3Gシステム20に無線により接続可能である。具体的には、移動機300は、eNodeB110と無線通信を実行し、LTEシステム10に接続する。また、移動機300は、BTS220と無線通信を実行し、3Gシステム20に接続する。本実施形態では、RNC210と移動機300によって通信システムが構成される。
【００２６】
（２）無線通信システムの機能ブロック構成
次に、上述した無線通信システムを構成する装置のうち、主な装置の機能ブロック構成について説明する。
【００２７】
図２は、移動機300の機能ブロック構成図である。また、図３は、RNC210の機能ブロック構成図である。
【００２８】
（２．１）移動機300
図２に示すように、移動機300は、第１無線通信部301、第２無線通信部303、CSFB状態記憶部305及び接続要求送信部307を備える。
【００２９】
第１無線通信部301は、LTE方式に従った無線通信をeNodeB110と実行する。第２無線通信部303は、3G方式に従った無線通信をBTS220と実行する。
【００３０】
CSFB状態記憶部305は、移動機300がLTEシステム10から3Gシステム20へのCS(Circuit Switched)フォールバック（以下、CSFB）が実行したことを記憶する。特に、CSFB状態記憶部305は、LTEシステム10において移動機300のアクセス規制に伴って3Gシステム20へのCSFBが実行されたことを記憶する。
【００３１】
接続要求送信部307は、第２無線通信部303を介して3Gシステム20との接続を要求する接続要求を送信する。具体的には、接続要求送信部307は、移動機300の通信を規制するアクセス規制がLTEシステム10において行われていることに伴い、LTEシステム10の代替として3Gシステム20との接続要求をRNC210に送信する場合、LTEシステム10から遷移（CSFB）したことを示す遷移情報を当該接続要求に含めることができる。
【００３２】
（２．２）RNC210
図３に示すように、RNC210は、通信部211、CSFB状態取得部213及び遷移抑止部215を備える。
【００３３】
通信部211は、3G方式に従った通信を移動機300と実行する。
【００３４】
CSFB状態取得部２13は、移動機300から送信された接続要求に含まれる遷移情報に基づいて、移動機300のCSFB状態を取得する。具体的には、CSFB状態取得部２13は、LTEシステム10でのアクセス規制により移動機300が3Gシステム20に遷移（CSFB）したことを記憶することができる。
【００３５】
遷移抑止部２15は、移動機300のLTEシステム10への遷移（mobility）を抑止する。具体的には、遷移抑止部２15は、移動機300から遷移情報を取得した場合、移動機300のLTEシステム10への遷移を抑止する。なお、遷移抑止部２15は、移動機300から遷移情報を取得した場合、移動機300ではなく、移動機300以外の3Gシステム20に接続している移動機（不図示）のLTEシステム10への遷移を抑止してもよい。
（３）無線通信システムの動作
次に、図４を参照して、上述した無線通信システムの動作について説明する。図４は、本実施形態に係る無線通信システムの通信シーケンスを示す。
【００３６】
図４に示すように、ステップＳ１０において、MME120は、移動機300（UE）を3Gシステム20（CSドメイン）にフォールバック（CSFB）させるため、eNodeB110を介してPAGINGを移動機300に送信する。
【００３７】
ステップＳ２０において、移動機300は、3Gシステム20へのCSFBがLTEシステム10のアクセス規制に伴うものものか否かを判定する。
【００３８】
3Gシステム20へのCSFBがLTEシステム10のアクセス規制に伴うものものでない場合（ステップＳ２０のNO）、LTEシステム10において待ち受け中の移動機300は、通常のCSFBのプロシージャに従って、点線枠内の処理を実行する。
【００３９】
一方、3Gシステム20へのCSFBがLTEシステム10のアクセス規制に伴うものである場合（ステップＳ２０のYES）、ステップＳ３０において、LTEシステム10において待ち受け中の移動機300は、3Gシステム20へのCSFBがLTEシステム10のアクセス規制に伴うものであることを記憶し、所定のINFORMTION ELEMENTS(IE)を設定する。具体的には、移動機300は、IEとして”CSFB redirection”を設定する。すなわち、移動機300は、3Gシステム20へのCSFBがLTEシステム10のアクセス規制に伴うものである場合、点線枠内の処理を実行しない。
【００４０】
ステップＳ４０において、移動機300は、3Gシステム20に遷移し、IEとして”CSFB redirection”を含むRRC CONNECTION REQUESTをRNC210に送信する。
【００４１】
ステップＳ５０において、RNC210は、移動機300から受信したRRC CONNECTION REQUESTに基づいて、3Gシステム20へのCSFBがLTEシステム10のアクセス規制に伴うものであることを記憶する。さらに、RNC210は、記憶した情報に基づいて、移動機300が再びLTEシステム10に遷移することを抑止する。
【００４２】
（４）変更例
上述した実施例では、LTEシステム10から遷移（CSFB）したことを示す遷移情報を用いたが、次のように変更してもよい。
【００４３】
（４．１）変更例１
移動機300は、LTEシステム10を介して通信を実行する能力を有さないことを示す能力不備情報を接続要求（RRC CONNECTION REQUEST）に含める。RNC210は、移動機300から能力不備情報を取得した場合、移動機300のLTEシステム10への遷移を抑止する。具体的には、移動機300は、RRC CONNECTION REQUESTの後に送信されるRRC CONNECTION SETUP COMPLETEでのUE Capability通知において、「LTEへの接続能力無し」と通知、或いはIE: pre-redirection infoを未設定にすればよい。
【００４４】
（４．２）変更例２
移動機300は、LTEシステム10においてアクセス規制が行われていることによる3Gシステム20への接続要求を示すアクセス規制情報をRRC CONNECTION REQUESTに含める。RNC210は、移動機300からアクセス規制情報を取得した場合、移動機300のLTEシステム10への遷移を抑止する。具体的には、”CSFB redirection”に代えて、IE: pre-redirection infoを設定する、或いはredirection時に設定するIE設定を行えばよい。なお、移動機300から遷移情報を取得した場合、RNC210は、移動機300ではなく、移動機300以外の3Gシステム20に接続している移動機（不図示）のLTEシステム10への遷移を抑止してもよい。
【００４５】
（５）作用・効果
本実施形態に係る無線通信システムによれば、LTEシステム10から遷移したことを示す遷移情報が移動機300からの接続要求に含められ、RNC210は、遷移情報を取得した場合、LTEシステム10への遷移を抑止する。
【００４６】
このため、移動機300がLTEのアクセス規制により3Gに遷移（CSFB）してきた場合でも、RNC210は、当該状態を認識できるため、移動機300が再びLTEシステム10に遷移させられることが抑止される。なお、従来の方法では、移動機300がLTEシステム10から遷移したことは、3Gシステム20には何ら通知されない。
【００４７】
また、本実施形態に係る無線通信システムによれば、移動機はLTEに遷移できず、無線通信システム全体として無駄な処理が実行されてしまうことも低減できる。
【００４８】
さらに、変更例１及び変更例２に示したように、LTEシステム10を介して通信を実行する能力を有さないことを示す能力不備情報、またはLTEシステム10においてアクセス規制が行われていることを示すアクセス規制情報を用いた場合でも同様の効果を得ることができる。
【００４９】
（６）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００５０】
例えば、上述した本発明の実施形態では、LTEシステム10と3Gシステム20（W-CDMA）とを例として説明したが、本発明は、LTEとCDMA2000や、LTEとGSMとの間におけるCSFBに適用してもよい。また、本発明は、CSFBに限らずPacket Switching(PS)呼が規制されている場合に適用してもよい。
【００５１】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００５２】
１０…LTEシステム
11…LTEコアネットワーク
20…3Gシステム
21…3Gコアネットワーク
110…eNodeB
111…無線通信部
113…CSFB状態取得部
115…遷移抑止部
210…RNC
220…BTS
230…SGSN
300…移動機
301…第１無線通信部
303…第２無線通信部
305…CSFB状態記憶部
307…接続要求送信部
【図１】
0005243501.tif 000002
【図２】
0005243501.tif 000003
【図３】
0005243501.tif 000004
【図４】
0005243501.tif 000005